(57)【要約】【課題】外耳道内の耳垢を剥離して、確実に外耳道内から外に取り出すことのできる耳掻き具を提供すること。【解決手段】本発明にかかる耳掻き具Ａは、棒状に形成された操作軸部材１０と、この操作軸部材１０の一方の端部に固着される耳掻き部材２０とを備え、この耳掻き部材２０に突起部３０を設けている。【選択図】　　　　図１
2004081562.tif 000002
【特許請求の範囲】
【請求項１】
棒状に形成された操作軸部材と、この操作軸部材の一方の端部、或いは両端部に固着される耳掻き部材とを備えた耳掻き具において、
耳掻き部材は、複数の突起部を備え、
突起部は、操作軸部材に対して平行方向及び垂直方向の両方向、或いはいずれか一方向に設けられていることを特徴とする耳掻き具。
【請求項２】
上記耳掻き部材の少なくとも突起部は、軟質性部材からなることを特徴とする請求項１に記載の耳掻き具。
【請求項３】
上記耳掻き部材は、内部が中空に形成され、
この耳掻き部材の表面から中空の内部空間に連通する連通孔を設けたことを特徴とする請求項１又は２に記載の耳掻き具。
【請求項４】
上記耳掻き部材は、内部が中空に形成され、
この耳掻き部材の表面から中空の内部空間に連通する連通孔を設けるとともに、
この連通孔を介して耳掻き部材の中空の内部空間に落ち込んだ耳垢を吸引する吸引ポンプを設けたことを特徴とする請求項１又は２に記載の耳掻き具。
【発明の詳細な説明】
【０００１】
【発明の属する技術分野】
本発明は、耳掃除を行うための耳掻き具に関する。
【０００２】
【従来の技術】
従来の耳掻き具は、棒状に形成された操作軸部材の一方の端部にへら状の耳掻き部材を設けるとともに、他方の端部に羽毛を球形にして取り付け、耳掻き部材で外耳道内の耳垢を剥離した後、前記球状の羽毛を外耳道内に挿入し、これを回転させることで耳垢を羽毛に絡め、耳垢を外耳道内から取り出すのが一般的であった。
【０００３】
【発明が解決しようとする課題】
しかしながら、上記のような耳掻き具においては、羽毛を挿入する際に、へら状の耳掻き部材で剥離した耳垢を外耳道内に押し込んでしまったり、羽毛にきちんと絡めることができず、耳奥内に耳垢を残してしまうおそれがあった。
【０００４】
本発明は、上記問題点を解決するためになされたものであり、外耳道内の耳垢を剥離して、確実に外耳道内から外に取り出すことのできる耳掻き具を提供することを目的とする。
【０００５】
【課題を解決するための手段】
上記目的を達成するために、請求項１の発明は、
棒状に形成された操作軸部材と、この操作軸部材の一方の端部、或いは両端部に固着される耳掻き部材とを備えた耳掻き具において、
耳掻き部材は、複数の突起部を備え、
突起部は、操作軸部材に対して平行方向及び垂直方向の両方向、或いはいずれか一方向に設けられていることを特徴とする。
【０００６】
請求項２の発明は、請求項１に記載の耳掻き具において、
上記耳掻き部材の少なくとも突起部は、軟質性部材からなることを特徴とする。
請求項３の発明は、請求項１又は２に記載の耳掻き具において、
上記耳掻き部材は、内部が中空に形成され、
この耳掻き部材の表面から中空の内部空間に連通する連通孔を設けたことを特徴とする。
【０００７】
請求項４の発明は、請求項１又は２に記載の耳掻き具において、
上記耳掻き部材は、内部が中空に形成され、
この耳掻き部材の表面から中空の内部空間に連通する連通孔を設けるとともに、
この連通孔を介して耳掻き部材の中空の内部空間に落ち込んだ耳垢を吸引する吸引ポンプを設けたことを特徴とする。
【０００８】
【作用】
請求項１の発明によれば、
操作軸部材に対して平行方向に設けられた突起部により、操作軸部材を回転軸として外耳道内で耳掻き具を回転させることにより、外耳道内の耳垢を剥離し、この剥離した耳垢を操作軸部材に対して垂直方向に設けられた突起部で外耳道内の外側に掻き出す。
【０００９】
請求項２の発明によれば、
軟質性部材からなる耳掻き部材の突起部を外耳道内に挿入して、この耳掻き部材を外耳道内に押し当てて耳垢を剥離するとともに、剥離した耳垢を外耳道内の外側に掻き出す。
【００１０】
請求項３の発明によれば、耳掻き部材に設けられた連通孔を介して耳掻き部材の中空の内部空間に外耳道内の耳垢を収容する。
請求項４の発明によれば、耳掻き部材に設けられた連通孔を介して耳掻き部材の中空の内部空間に外耳道内の耳垢を収容し、この収容した耳垢を吸引ポンプで吸引する。
【００１１】
【発明の実施の形態】
以下に、本発明にかかる耳掻き具の一実施形態について図面を用いて説明する。
図１は、本発明の耳掻き具を示す側面図ある。同図に示すように、この耳掻き具Ａは、棒状に形成された操作軸部材１０と、この操作軸部材１０の一方の端部に固着される耳掻き部材２０とを備え、この耳掻き部材２０に突起部３０を設けている。
【００１２】
上記操作軸部材１０は、本実施形態においては、ポリプロピレンが用いられており、その中央部付近には握りをよくするためのグリップ部１０ａが形成されている。
また、この操作軸部材１０の後端部には、ホース１１を介して吸引ポンプ（図示せず）が接続されている。
【００１３】
耳掻き部材２０は、本実施形態においては、その材質として水添型スチレンイソプレンが用いられており、本実施形態においては、前記操作軸部材１０一端部側に設けられている。
この耳掻き部材２０は、図２（ａ）に示すように、その内部が中空の内部空間２０ａが形成されているとともに、その表面から中空の内部空間２０ａに連通する連通孔２１が設けられている。
【００１４】
上記連通孔２１は、本実施形態においては、耳掻き部材２０の操作軸部材１０に対して平行方向で、長孔形状に形成されている。
【００１５】
上記のように構成された耳掻き部材２０には、図１に示すように、複数の突起部３０が突設されている。
この突起部３０は、本実施形態においては、耳掻き部材と同じ軟質性部材からなる水添型スチレンイソプレンが用いられており、上述した操作軸部材１０に対して平行方向に突設された平行状突起３０ａ及び操作軸部材１０に対して垂直方向に設けられた垂直状突起３０ｂとから構成されている。
【００１６】
図２（ｂ）は、上記耳掻き部材２０の正面図である。
同図に示すように、水平状突起３０ａは、耳掻き部材２０の側方部に、一対の突片の先端部が互いに離れていく方向でハの字形状に配設されている。
そして、本実施形態においては、耳掻き部材２０の両側端部に合計２組の水平状突起３０ａが突設されており、図示するように、互いの突片の先端部から先端部までの間は、耳掻き部材２０を外耳道内に挿通した状態で外耳道の内壁面に当接する寸法ｗだけ離れた状態で設けられている。
なお、本実施形態においては、上記水平状突起３０ａの一対の突片の間に、前述した連通孔２１が形成されている。
【００１７】
また、垂直状突起３０ｂは、図示するように、耳掻き部材２０の上下方向に、複数からなる垂直状の突片が一直線状に並んだ状態で配設されて形成されている。
この水平状突起３０ｂは、本実施形態においては、互いの突片の先端部から先端部までの間は、耳掻き部材２０を外耳道内に挿通した状態で外耳道の内壁面に当接する寸法ｈだけ離れた状態で設けられている。
【００１８】
つぎに、上記のように構成された耳掻き具Ａの使用の一例について、図３を用いて説明する。
図３は、耳掻き具Ａを耳内に挿通した状態を示す一部断面図である。
【００１９】
この耳掻き具Ａを使用するには、同図に示すように、通常の耳掻き具と同様に、使用者は操作軸部材１０を把持して、耳掻き部材２０を外耳道Ｇ内部に挿入する。
【００２０】
このとき、耳掻き具Ａの耳掻き部材２０及び突起部３０は、軟質部材である水添型スチレンイソプレンで形成されているため、外耳道Ｇ内部の内壁面に耳掻き部材２０及び突起部３０が接触しても、外耳道内部を傷つけることがない。
なお、この軟質性部材とは、外耳道内部の内壁面に接触しても傷つけない程度の軟性をいう。
【００２１】
そして、外耳道Ｇ内部に耳掻き部材２０を挿入した状態で、操作軸部材１０を中心として耳掻き具Ａを図中ａ１の矢印方向に回転させると、外耳道Ｇ内の内壁面に耳掻き部材２０の水平状突起３０ａが接触し、内壁面に付着している耳垢を剥離することができる。
そして、この剥離した耳垢は、外耳道Ｇ内に溜まるか、或いは耳掻き部材２０に設けられた連通孔２１から耳掻き部材２０の中空の内部空間２０ａ内に落ち込み、吸引ポンプにより外部に吸い出される構成となっている。
【００２２】
また、耳垢が外耳道２０内に溜まった状態で、この耳掻き具Ａの操作軸部材１０の軸方向（図中ａ２の矢印方向）に移動させることにより、外耳道Ｇ内部に溜まった耳垢を外部に掻き出すことができる。
【００２３】
以上述べたように、本発明の耳掻き具Ａによれば以下のような効果を得ることができる。
すなわち、上述したように、本発明の耳掻き具Ａの操作軸部材１０を回転軸として回転させるとともに、その操作軸部材１０の軸方向に移動させることにより、外耳道内の内壁面に付着した耳垢を剥離させ、この剥離した耳垢を外耳道の外部に掻き出すことができるという効果がある。
【００２４】
また、この耳掻き具Ａの耳掻き部材２０及び突起部３０は、軟質性部材で形成されているため、外耳道内部に挿通した状態で、外耳道内部の内壁面を傷つけることを防ぐことができる。
【００２５】
さらには、耳掻き部材２０に設けられた連通孔２１から、耳掻き部材２０の中空の内部空間に、剥離した耳垢を収納することができるという効果がある。
【００２６】
以上、本発明の耳掻き具の一実施形態について詳細に説明してきたが、本発明の耳掻き具は、上記実施形態に限定されるものでは決してなく、請求項に記載の範囲内で種々に変更可能であって、上記実施形態においては、耳掻き部材２０及び突起部３０の材質として水添型スチレンイソプレンが用いられていたが、特にこの材質に限定されるものでは決してなく、例えば、ゴム等の弾性部材や綿等で構成されていても構わない。
また、耳掻き部材２０と突起部３０の材質をそれぞれ異なるもので構成することも可能である。
【００２７】
また、上記実施形態における耳掻き具は、ホース１１を介して吸引ポンプが接続されていたが、この吸引ポンプは操作軸部材１０内に内蔵されていても良く、さらに、この吸引ポンプが存在しなくても構わない。
さらにまた、耳掻き部材２０に形成されていた連通孔２１は、長孔形状に限定されるものではなく、小さい孔が複数個設けられている構成とすることも可能である。
【００２８】
また、耳掻き部材に設けられた突起の形状は、図４（ａ）に示すように、操作軸部材に対して垂直方向に複数個が設けられ、この複数の突起部３１の間に連通孔２２を設ける構成とすることも可能である。
さらにまた、図４（ｂ）に示すように、操作軸部材に対して平行方向に突起部３２を形成し、この突起部３２の間に連通孔２３を設けても良く、さらに、同図（ｃ）に示すように、突起部３３及び連通孔２４を耳掻き部に螺旋状に設けることも可能である。
【００２９】
また、図４（ｄ）に示すように、耳掻き部２０を綿で構成し、この綿の表面に複数の切り込み２５を形成することにより凹凸形状の突起部３４を形成することも可能である。
さらに、図４（ｅ）に示すように、突起部３５を丸みを帯びた形状に形成することも可能である。
【００３０】
【発明の効果】
請求項１の発明によれば、
操作軸部材に対して平行方向に設けられた突起部により、操作軸部材を回転軸として外耳道内で耳掻き具を回転させることにより、外耳道内の耳垢を剥離し、この剥離した耳垢を操作軸部材に対して垂直方向に設けられた突起部で外耳道内の外側に掻き出す。
この結果、外耳道内部に耳垢が残存することを防ぐことができる。
【００３１】
請求項２の発明によれば、
軟質性部材からなる耳掻き部材の突起部を外耳道内に挿入して、この突起部を外耳道内に押し当て耳垢を剥離するとともに、剥離した耳垢を外耳道内の外側に掻き出す。
この結果、請求項１に記載された発明の効果に加えて、外耳道内部を傷付けることを防ぐことができるという効果がある。
【００３２】
請求項３の発明によれば、耳掻き部材に設けられた連通孔を介して耳掻き部材の中空の内部空間に外耳道内の耳垢を収容する。
この結果、請求項１又は２に記載された発明の効果に加えて、より確実に耳垢を外耳道の外部に取り出すことができるという効果がある。
請求項４の発明によれば、耳掻き部材に設けられた連通孔を介して耳掻き部材の中空の内部空間に外耳道内の耳垢を収容し、この収容した耳垢を吸引ポンプで吸引する。
この結果、請求項１又は２に記載された発明の効果に加えて、吸引ポンプの吸引により確実に耳垢を外耳道の外部に取り出すことができるという効果がある。
【図面の簡単な説明】
【図１】本発明にかかる耳掻き具の側面図である。
【図２】本発明にかかる耳掻き具の耳掻き部を示す側面図及び正面図である。
【図３】本発明にかかる耳掻き具の使用状態を示す一部断面図である。
【図４】本発明にかかる耳掻き具の別の実施形態を示す側面図である。
【符号の説明】
Ａ　　　耳掻き具
１０　　操作軸部材
１０ａ　グリップ部
１１　　ホース
２０　　耳掻き部材
２１　　連通孔
３０　　突起部
３０ａ　水平状突起
３０ｂ　垂直状突起
【図１】
2004081562.tif 000003
【図２】
2004081562.tif 000004
【図３】
2004081562.tif 000005
【図４】
2004081562.tif 000006